(57)【特許請求の範囲】
【請求項１】
筐体（１２）内にモジュール（１７）を取り付け及び固定するロックシステム（１０）であって、
シャーシで囲まれた少なくとも１つの前記モジュール（１７）の後側にプラグ接続部と、前記シャーシの後側とは反対の前側に配された前記シャーシに接続されたシャーシ前板（１１）を備え、
前記モジュール（１７）の各々は前記モジュール（１７）が挿入された前記筐体（１２）内で少なくとも１つのスナップインロック装置（１５）によりロック可能であり、
前記スナップインロック装置（１５）は前記シャーシ前板（１１）に係合する開具（２０）により開放可能であり、
前記シャーシ前板（１１）の前側の板の両端領域に少なくとも２つの前記開具（２０）が係合し、
前記シャーシ前板（１１）は前記前側の板の両側面のそれぞれに前記前側の板に垂直な側壁（１３）を備え、前記スナップインロック装置（１５）は前記側壁（１３）の各々に取り付けられ、
前記スナップインロック装置（１５）は、板状であって、一方の端部が前記側壁（１３）の取り付け位置（１６）に接続され、他方の端部が前記シャーシ前板（１１）の前記前側の板側に配置され、前記一方の端部と前記他方の端部との間に二つの折り目（３４，３５）を有し、前記取り付け位置（１６）から一つ目の前記折り目（３４）によって前記側壁（１３）から離れる方向に折り曲げられ、二つ目の前記折り目（３５）によって前記シャーシ前板（１１）の前記前側の板に近づく方向に折り曲げられて段差（１９）が形成され、前記段差（１９）は、前記モジュール（１７）が前記筐体（１２）にロックされているときに前記シャーシ前板（１１）の前記前側の板と平行になり、
前記シャーシ前板（１１）の前記前側の板が表示開口（３１）を備え、前記表示開口（３１）は、前記シャーシ前板（１１）の前記前側の板を前記筐体（１２）の内側から視た場合（矢印Ａ方向）に、前記モジュール（１７）が前記筐体（１２）にロックされているときは前記スナップインロック装置（１５）に覆われず、ロックが完全に解除されているときは前記表示開口（３１）は前記スナップインロック装置（１５）に覆われる、前記シャーシ前板（１１）の領域に配置されていることを特徴とするロックシステム。
【請求項２】
前記開具（２０）により前記シャーシ前板（１１）に引張り応力が与えられ、前記モジュール（１７）が前記筐体（１２）から引き出し可能であることを特徴とする請求項１に記載のロックシステム。
【請求項３】
前記スナップインロック装置（１５）は少なくとも１つのスナップイン突起（１４）を備えたことを特徴とする請求項２に記載のロックシステム。
【請求項４】
前記スナップインロック装置（１５）は少なくとも２つのスナップイン突起（１４）を備え、前記スナップイン突起（１４）が前記シャーシ前板（１１）の前記側壁（１３）の幅に沿って互いに所定の距離離して配置されていることを特徴とする請求項２に記載のロックシステム。
【請求項５】
前記シャーシ前板（１１）の前記側壁（１３）及び前記筐体（１２）は各々、前記スナップイン突起（１４）が係合する切欠き（２３）を備えていることを特徴とする請求項３又は請求項４に記載のロックシステム。
【請求項６】
前記スナップインロック装置（１５）が弾性材料で構成されたことを特徴とする請求項３から請求項５のいずれかに記載のロックシステム。
【請求項７】
前記開具（２０）がフック型鍵要素（２４）、回転ハンドル（２６）及び引張り要素（２７）を備え、前記シャーシ前板（１１）及び前記回転ハンドル（２６）の間に第１の中間要素（２１）及び前記第１の中間要素（２１）に隣接している第２の中間要素（２２）が第１の中間要素（２１）を動かすことなく回転ハンドル（２６）を回転させることができるように配されていることを特徴とする請求項１から請求項６のいずれかに記載のロックシステム。
【請求項８】
前記第１の中間要素（２１）は擦り傷から保護するように動作する第１の軟質材料から成り、前記第２の中間要素（２２）は第２の低摩擦材料から成り、前記第２の中間要素（２２）上を前記第１の中間要素（２１）及び前記回転ハンドル（２６）が滑動することを特徴とする請求項７に記載のロックシステム。
【請求項９】
前記回転ハンドル（２６）及び前記引張り要素（２７）が一体に形成されたことを特徴とする請求項７又は請求項８に記載のロックシステム。
【請求項１０】
筐体（１２）内にモジュール（１７）を取り付け及び固定する方法であって、シャーシで囲まれた少なくとも１つの前記モジュール（１７）が後側にプラグ接続部と、前記シャーシの後側とは反対の前側に配されたシャーシ前板（１１）を備え、前記モジュール（１７）は前記筐体（１２）内に押し込まれてスナップインロック装置（１５）によりロックされ、前記スナップインロック装置（１５）は前記シャーシ前板（１１）に係合する開具（２０）を作動させることにより開放され、
前記シャーシ前板（１１）の前側の板の両端領域に少なくとも２つの前記開具（２０）を係合させ、
前記シャーシ前板（１１）は前記前側の板の両側面のそれぞれに前記前側の板に垂直な側壁（１３）を備え、前記スナップインロック装置（１５）は前記側壁（１３）の各々に取り付けられ、
前記スナップインロック装置（１５）は、板状であって、一方の端部が前記側壁（１３）の取り付け位置（１６）に接続され、他方の端部が前記シャーシ前板（１１）の前記前側の板側に配置され、前記一方の端部と前記他方の端部との間に二つの折り目（３４，３５）を有し、前記取り付け位置（１６）から一つ目の前記折り目（３４）によって前記側壁（１３）から離れる方向に折り曲げられ、二つ目の前記折り目（３５）によって前記シャーシ前板（１１）の前記前側の板に近づく方向に折り曲げられて段差（１９）が形成され、前記段差（１９）は、前記モジュール（１７）が前記筐体（１２）にロックされているときに前記シャーシ前板（１１）の前記前側の板と平行になり、
前記シャーシ前板（１１）の前記前側の板が表示開口（３１）を備え、前記表示開口（３１）は、前記シャーシ前板（１１）の前記前側の板を前記筐体（１２）の内側から視た場合（矢印Ａ方向）に、前記モジュール（１７）が前記筐体（１２）にロックされているときは前記スナップインロック装置（１５）に覆われず、ロックが完全に解除されているときは前記表示開口（３１）は前記スナップインロック装置（１５）に覆われる、前記シャーシ前板（１１）の領域に配置されていることを特徴とする固定方法。
【請求項１１】
前記スナップインロック装置（１５）は前記シャーシ前板（１１）に係合する開具（２０）を回転させることにより開放されることを特徴とする請求項１０に記載の固定方法。
【請求項１２】
前記モジュール（１７）は、前記シャーシ前板（１１）に加えられる前記開具（２０）の引張り応力によって前記筐体（１２）から引き出されることを特徴とする請求項１０又は請求項１１に記載の固定方法。
【発明の詳細な説明】
【技術分野】
【０００１】
本発明は、筐体内にモジュールを取り付けて固定するロックシステム及び取付方法に関する。
【背景技術】
【０００２】
通常の装置、特に電子測定装置は一般に個別の部品群あるいはモジュールで組み立てられる。これらは筐体内で中央のモジュールと一体にプラグ接続により互いに接続される。これは、異なるモジュールや新しいモジュールによる拡張機構を有する装置の柔軟な構成を可能とし、取り付けや修理操作を簡単にすることができる。特に、電子モジュールは多極のプラグ接続により中央モジュールに接続することができる。
特許文献１にはプラグインモジュールを収納する筐体のロックシステムが記載されている。この状況においては、ロックシステムはプラグ受けが一体化されている筐体の領域に備えられている。プラグインモジュールが挿入されると、足がロックシステムのプラグ接続方向に沿って係合し、筐体内でプラグインモジュールがプラグで固定される。プラグインモジュールを解除するには、ロックシステムに起動要素を結合させて、スナップで取り付けた結合を外し、プラグインモジュールをプラグ受けから持ち上げる。
【先行技術文献】
【特許文献】
【０００３】
【特許文献１】独国特許出願公開第１０  ２００７  ０４１４０６号明細書
【発明の概要】
【発明が解決しようとする課題】
【０００４】
この配置でプラグインモジュールを解除するためには、プラグ接合領域は自由にアクセスできるようになっていなければならない。このためには、多くの場合、筐体の囲い部分が取り外せ、そのための大きな空間が必要である。多くのプラグインモジュールが互いに近接して配置されている場合には個々のプラグ位置にはアクセスしにくい。
【０００５】
したがって、本発明の目的は、筐体内にモジュールを挿入してプラグ接合することができ、さらに、簡単にかつ小さな空間で解除することができるロックシステム及び取付方法を提供することである。この関係においては、モジュールは筐体内にしっかりと据え付けられ、特定の者のみが筐体から取り外すことができるようにすることが保証されていなければならない。
【課題を解決するための手段】
【０００６】
本発明の目的は、請求項１で特定されるロックシステム及び請求項１０の筐体内にモジュールをロックする方法によって達成される。従属請求項は本発明による装置及び方法の更なる実施例の有用性を特定する。
本発明による筐体内にモジュールを取り付けて固定するロックシステムは、シャーシで囲まれ、後側にプラグ接続部を備えた少なくとも１つのモジュールを有している。モジュールの後側とは反対側に面している前側にはシャーシに接続したシャーシ前板を備えている。各モジュールはモジュールが挿入された筐体にスナップインロック装置によってロックすることができる。スナップインロック装置を解除するために、開具がシャーシ前板に取り付けられている。開具によってシャーシ前板に引張り応力が与えられてモジュールは筐体から引き出すことができる。
その結果、モジュールはプラグ接続部と反対側の前側を握ることで解放されるので、モジュールとプラグ接続部を囲んでいる筐体はモジュールの取り付けと取り外しの間位置が変わらない。たとえば、ラックに類似の装置が取り付けられたとき、ラックから装置を外したり筐体カバーを外したりする必要はない。同時に、筐体とモジュールとのスナップ取り付け接続によって、モジュールをプラグ接続部及び筐体自体に確実に設置することが保証される。本発明においては、スナップイン接続は開具によってのみ解放されてモジュールが取り外されるので、我流の取り外しは防止され、あるいは、少なくとも相当阻止される。
シャーシ前板の端領域には少なくとも２つの開具が係合するのが有用である。シャーシ前板は両側面の各々にシャーシ前板に垂直に配された側板を備えている。２つの側板の各々に取り付けられたスナップインロック装置は、モジュールがシャーシ前板に垂直にプラグ接続によって筐体内に設置されることを確実にする。これは、プラグ接続の良好な接触とプラグ接続の機械的応力を緩和することを保証する。
シャーシ前板の２つの端領域に係合している開具はプラグ接続に垂直な引張り応力を保証しており、シャーシ前板の両側に均一に作用する引張り応力によってプラグ接続が簡単に解除することを防いでいる。
スナップインロック装置は１つあるいは変形として少なくとも２つのスナップイン突起を備える。この状況においては、少なくとも２つのスナップイン突起は、シャーシ前板の側壁のシャーシ前板の幅に沿って互いに所定の距離を離して配置され、シャーシ前板の側壁の切欠き及び筐体の壁の切欠きに係合する。この結果、モジュールの強固なロック及びモジュールのスナップイン突起が配置されている板に垂直な方向の配列が確実に行われる。
さらに、スナップインロック装置が弾性材料から成り、シャーシ前板に平行に配列された階段状の二重切込みを有していることが好ましい。シャーシベースに向いたスナップインロック装置の部分のシャーシ前板に平行に向かう力は切込みの側板からの距離を広げて、側壁におけるスナップインロック装置の取り付け位置への機械的応力を減少させる。これはこの構成要素の摩耗を小さくする。
開具は好ましくはフック型の鍵要素、回転ハンドル及び引張り要素を備え、鍵要素と回転ハンドルの間に回転する第１及び第２の中間要素が取り付けられている。この状態において、第１の中間要素は好ましくは軟質で傷を付けない第１の材料で作られ、第２の中間要素は摩擦の少ない第２の材料からなり、第２の中間要素に対して第１の中間要素及び回転ハンドルの滑動が可能である。ロック要素の繰り返される駆動の後でもシャーシ前板は傷が付いたり磨り減ったりすることはなく、開具の回転領域においてシャーシ前板の摩耗を少なくすることができる。同時に、シャーシ前板は見た目も損なわれず、感じが良い状態が保たれる。
【発明の効果】
【０００７】
本発明の筐体内にモジュールを取り付けて固定する方法は、少なくとも１つのシャーシで囲まれたモジュールを備えており、シャーシの後側にプラグ接続部、後側の反対側の前側にシャーシ前板が存在している。モジュールは筐体内に挿入され、スナップイン接続によりロックされる。スナップイン接続は好ましくはシャーシ前板に係合する開具を回転させることにより解除される。そして、モジュールはシャーシ前板に接している開具の引張り応力を介して筐体から引き出される。この結果、モジュールは筐体から小さな専有空間で簡単に取り外すことができ、プラグ接続から損傷なく最小の力で引き抜くことができる。
以下、本発明について代表的な実施例に基づいて、図面を参照しながら詳細に説明する。図面は以下のとおりである。
【図面の簡単な説明】
【０００８】
【図１】（ａ）は本発明によるロックシステムのロック状態における代表的な実施例を示す概略図、（ｂ）は本発明によるロックシステムの開放状態における代表的な実施例を示す図
【図２】本発明によるスナップインロック装置の代表的な実施例を示す斜視図
【図３】本発明による筐体壁の水平投影図
【図４】（ａ）は本発明によるシャーシ前板をロック状態においてモジュールから見たときの代表的な実施例を示す水平投影図、（ｂ）は本発明によるシャーシ前板の開放状態における図４ａに対応する図
【図５】本発明によるシャーシ前板をモジュール方向に見たときの代表的な実施例を示す図
【発明を実施するための形態】
【０００９】
ロックシステムの全体及びその作用態様を、図１ａ及び図１ｂを参照しながら以下に説明する。一方、図２，図３，図４ａ、図４ｂ及び図５は個々の構成要素を詳細に示す。すべての図面において、対応する部分には同一の参照符号を付している。
【００１０】
図１ａに示すロックシステム１０は筐体１２を有し、その中にモジュール１７が挿入されて筐体１２内でロックされる。モジュール１７は、詳細には図示しておらず、一つの側部要素１８が示されているシャーシで囲まれている。シャーシの側部要素１８とシャーシ前板１１は固定されているが互いに着脱自在に接続されていることが好ましい。その結果、シャーシ前板１１は、たとえばシャーシ側壁１８に差し込まれ、たとえば、ねじ接続又はスナップイン接続で互いに固定される。シャーシ前板１１は２つの対向する側壁１３を備え、それらはシャーシ前板１１に強固に接続されている。シャーシ前板１１の側壁１３はシャーシ前板１１上のモジュール１７の狭い側に沿って配列されるのが好ましい。
シャーシ前板１１から少し離れて側壁１３の取り付け位置１６にスナップインロック装置１５が取り付けられている。この状態において、スナップインロック装置１５は側壁１３に溶接、ハンダ付け、接着、切込みあるいはねじで数箇所又は側壁１３に連続的に離して取り付けられる。スナップインロック装置１５はたとえば金属片のような弾性体から成り、それは取り付け位置１６から離れて面している領域で二重切込み３４、３５（図１ｂ参照）を備え、それはシャーシ前板１１に平行に延びて段差１９を形成する。
【００１１】
スナップインロック装置１５の取り付け位置１６に向いて面している領域にスナップイン突起１４が形成されている。このスナップイン突起１４は、シャーシ前板１１の側壁１３の切欠き２３及びシャーシ側部要素１８の切欠き２３及び筐体１２の切欠き２３のそれぞれに係合される。ロックシステム１０の１つの好ましい代表的な実施例においては、図１ａのＣ方向から見た図２に示されているスナップインロック装置１５は２つのスナップイン突起１４を備え、各々のスナップイン突起１４はスナップインロック装置１５の端部に配置されている。スナップインロック装置１５とスナップイン突起１４はスナップイン突起１４を曲げ加工により製作して単純な方法で１つの部品にまとめることができる。これによって、スナップインロック装置１５の安価で堅牢な具現化をもたらすことができる。
開具２０はロック開口３０を通ってシャーシ前板１１に挿入される（図５参照）。第１の軟質材料から成る第１の中間要素２１はシャーシ前板１１に配置される。第１の中間要素２１はたとえば軟質エラストマーで構成することができる。第１の中間要素２１に隣接している第２の中間要素２２は低摩擦で平滑材料から成り、その結果、第１の中間要素２１を動かすことなく回転ハンドル２６を回転させることができる。この結果、シャーシ前板１１の表面は開具２０を繰り返して使用しても擦り傷がなく無償状態を保つことができる。
【００１２】
図１ｂは図１ａのロック状態が開状態にあるときのロックシステム１０を示す。この状況で、フック型鍵要素２４の鍵小片２５は開具２０の回転ハンドル２６の回転によって図示する開位置にもたらされる。この結果、鍵小片２５はスナップインロック装置１５を側壁１３から離れる方向に動かし、それによって、スナップイン突起１４を側壁１３の切欠き２３、シャーシ側要素１８、及び筐体１２から引き離す。筐体１２の切欠き２３は図３に示されており、これは筐体壁１２を図１ａに示した方向Ｃから見た状態である。開具２０の引張り要素２７を引張ることにより、モジュール１７を筐体１２から取り出すことができる。
回転ハンドル２６及び引張り要素２７は鍵と同様に回転自在に結合しているので、引張り要素２７もトルクを与えるように使用される。回転ハンドル２６及び引張り要素２７がゆるい接続の場合は、引張り要素２７は拡大してたとえば環状を形成して強い引張り力を与えることができる。
【００１３】
図４ａはシャーシ前板１１の図１ａの矢印Ａ方向に対応する水平投影図である。鍵要素２４はスナップインロック装置１５の破線で示した第１の切込み３４及び第２の切込み３５の間に位置しており、鍵小片２５は第１の切込み３４及び第２の切込み３５の位置に平行に並べられている。したがって、スナップインロック装置１５はロックされている。シャーシ前板１１の掘削孔は表示開口３１を形成する。モジュールの内部からの光は表示開口３１からはほとんど広がらないので、表示開口３１は暗く見えている。
【００１４】
図４ｂは鍵小片２５が左に回った位置に向いているときの鍵要素２４を有するシャーシ前板１１を示す。鍵小片２５が最大位置を越える回り過ぎをシャーシ前板１１から突出している停止部材３３により防止する。スナップインロック装置１５から光が反射された後は、表示開口３１は明るく見える。その他の表示メカニズムとしては、たとえば、表示開口３１を色彩で裏打ちする方法も可能である。表示開口３１はシャーシ前板１１においてスナップインロック装置１５の第２の切込み３５からやや離れて配置されることが好ましい。なぜなら、この方法により、スナップインロック装置１５は切欠き２３にスナップイン突起１４が完全に係合した場合にのみロックされるからである。この方法により部分的に係合した状態が見え、それを避けることができる。
【００１５】
図５はシャーシ前板１１の図１ａの矢印Ｂ方向の水平投影図である。開具２０の鍵要素２４が係合できるロック開口３０が見える。ロック開口３０の輪郭は図示の方形とは様々に異ならせることができるので、スナップインロック装置１５は対応する輪郭の鍵小片２５を有する鍵要素２４を使用した場合にのみ開くことができる。したがって、モジュール１７へのアクセスは簡単に制限することができる。
【００１６】
以上に記載及び／又は説明した特徴は本発明の範囲内で互いに有用に結びつけることができる。本発明は説明した代表的な実施例に限定されない。たとえば、モジュール要素を１つのみ備えるようにしても良い。
【符号の説明】
【００１７】
１０  ロックシステム
１１  シャーシ前板
１２  筐体
１３  側壁
１４  スナップイン突起
１５  スナップインロック装置
１６  取付け位置
１７  モジュール
１８  側部要素（シャーシ側壁）
１９  段差
２０  開具
２３  切欠き
３０  ロック開口
３３  停止部材
３４  切込み（第１の切込み）
３５  切込み（第２の切込み）
【図１】
0005993855.tif 000002
【図２】
0005993855.tif 000003
【図３】
0005993855.tif 000004
【図４】
0005993855.tif 000005
【図５】
0005993855.tif 000006